(57)【要約】【課題】体操などの練習に使用可能で、大きな面積において一定の反発力が得られ、助走と連続した運動が可能な運動用エアートランポリンを提供すること。【解決手段】８個の袋体１の側面を互いに結合して構成されたマット２と、袋体１の１つに設けた送風口３と、送風機４とを有し、マット２の上面は長方形であり、袋体１はそれぞれ前記長方形の長手方向の長さを有し、幅方向の側面を互いに結合し、その結合面に通気穴を設けて構成されている。袋体１に送風機４により空気を導入してマット２を水平な床６上に設置したとき、マット２の上面がほぼ水平となるように構成され、各袋体１の側面間におけるマット３の上面の床６からの高さの変動で定義する個体平坦性が５ｃｍ程度以下となるように構成されている。【選択図】図１
0003176478.tif 000002
【実用新案登録請求の範囲】
【請求項１】
側面に通気穴を設けた複数の袋体の側面を互いに結合して構成されたマットと、前記袋体の少なくとも１つに設けた送風口と、前記送風口に接続して前記送風口に空気を導入可能な送風機とを有し、前記複数の袋体に前記送風機により空気を導入して前記マットを水平な床上に設置したとき、前記マットの上面がほぼ水平となり、該上面の端より３０ｃｍ以上離れた内側部分において、前記の各袋体の側面間における前記マットの上面の前記床からの高さの変動で定義する個体平坦性が６ｃｍ以下となるように構成されていることを特徴とする運動用エアートランポリン。
【請求項２】
前記個体平坦性が３ｃｍ以下であることを特徴とする請求項１に記載の運動用エアートランポリン。
【請求項３】
前記マットの上面の形状は略多角形であることを特徴とする請求項１または請求項２に記載の運動用エアートランポリン。
【請求項４】
前記マットの上面の前記結合された各袋体の側面の上部に帯状の付加部材を設置したことを特徴とする請求項１乃至請求項３のいずれか１項に記載の運動用エアートランポリン。
【請求項５】
前記マットの上面の周縁部の少なくとも一部に、前記床からの高さが前記上面よりも１０ｃｍ以上高いガード部を設けたことを特徴とする請求項１乃至請求項４のいずれか１項に記載の運動用エアートランポリン。
【請求項６】
前記マットの上面は略長方形であり、前記袋体は前記長方形の長手方向の長さを有し、前記マットは該袋体の幅方向の側面を互いに結合して構成されていることを特徴とする請求項３乃至請求項５のいずれか１項に記載の運動用エアートランポリン。
【請求項７】
一体として結合された複数個の前記マットを有し、前記マットは上面の少なくとも１辺に他の前記マットとの結合手段を備え、該結合手段によって互いに結合された部分と該結合部分に隣接する部分の上面の前記床からの高さの変動で定義する結合平坦性が６ｃｍ以下となるように構成されていることを特徴とする請求項３乃至請求項６のいずれか１項に記載の運動用エアートランポリン。
【請求項８】
前記結合手段は、前記マットの１辺に沿って前記マットに一体として設けられ複数の穴を有する第１の帯状部分と、前記マットの１辺に沿って前記第１の帯状部分の上部に前記マットに一体として設けられ前記第１の帯状部分を覆う形状を有し端部にテープ状のファスナーを設けた第２の帯状部分と、前記他のマットの１辺に沿って前記他のマットに一体として設けられ複数の穴を有する第３の帯状部分と、前記他のマットの１辺に沿って前記他のマットの上面に帯状に設置されたテープ状のファスナーとを備え、紐を前記第１の帯状部分に設けた穴と前記第３の帯状部分に設けた穴とを交互に貫通させて固定し、前記の第２の帯状部分のテープ状のファスナーと前記他のマットの上面のテープ状のファスナーとを貼り合わせることにより結合する手段であることを特徴とする請求項７に記載の運動用エアートランポリン。
【請求項９】
前記マットの一端に一体として結合された保護用マットを有し、該保護用マットは前記マットの上面にほぼ等しい高さで接続された水平部分と該水平部分の前記マットに対向する端部に配置され該水平部分から１ｍ以上の高さを有する正面壁部分と該正面壁部分の両側に配置された側壁部分とからなることを特徴とする請求項１乃至請求項８のいずれか１項に記載の運動用エアートランポリン。
【考案の詳細な説明】
【技術分野】
【０００１】
本考案は、送風機を介して空気を充填した状態で使用するインフレータブル体からなるトランポリンに関し、特に、平坦な水平面を有し、体操競技の練習などに適した運動用エアートランポリンに関する。
【背景技術】
【０００２】
従来、送風機を介して空気を充填したエアクッション、すなわちインフレータブル体の上や、インフレータブル体で構成された構造物の中に入って、子供が飛び跳ねて遊ぶことができる多様な遊具が実現されている。その例が特許文献１および２に記載されている。
【先行技術文献】
【特許文献】
【０００３】
【特許文献１】特開平９−１８２８７７号公報
【特許文献２】特開２００５−７４１４０号公報
【考案の概要】
【考案が解決しようとする課題】
【０００４】
特許文献１および２に記載の遊具を含め、従来のインフレータブル体で構成されたマットなどの人がその上に乗ることができる構成物は、すべて子供などの遊びを対象としたものであり、体操の競技練習などの運動に使用できるものはなかった。
【０００５】
一方、体操の練習ではトランポリンの反発力を利用することにより滞空時間を長くできるので、空中での回転姿勢や各種目などに必要な特別な空中姿勢を保つ練習などが可能となる。しかし、通常のトランポリンでは一定の反発力が得られる面積が限られることや助走と連続した空中姿勢の練習ができないなどの問題があった。
【０００６】
そこで、本考案の目的は、体操などの練習に使用可能で、大きな面積において一定の反発力が得られ、助走と連続した運動が可能な運動用エアートランポリンを提供することにある。
【課題を解決するための手段】
【０００７】
第１の観点では、本考案の運動用エアートランポリンは、側面に通気穴を設けた複数の袋体の側面を互いに結合して構成されたマットと、前記袋体の少なくとも１つに設けた送風口と、前記送風口に接続して前記送風口に空気を導入可能な送風機とを有し、前記複数の袋体に前記送風機により空気を導入して前記マットを水平な床上に設置したとき、前記マットの上面がほぼ水平となり、該上面の端より３０ｃｍ以上離れた内側部分において、前記の各袋体の側面間における前記マットの上面の前記床からの高さの変動で定義する個体平坦性が６ｃｍ以下となるように構成されていることを特徴とする。
【０００８】
本考案では、従来のインフレータブル体で構成された遊具と同様に、複数の袋体によりマットを構成する。但し、本考案においては、マットを構成する各袋体に空気を導入したときにその高さが等しくなるように各袋体は構成され、それらの袋体の側面同士を結合することにより床上に配置されたマットの上面が水平となるように構成される。さらに、マットを構成する袋体の数を増やして袋体の幅を狭くすること等により各袋体の上面の中央部の膨らみを小さくし、各袋体の側面間における前記マットの上面の前記床からの高さの変動で定義する個体平坦性を小さくしている。具体的には上記の個体平坦性が６ｃｍ以下であれば通常の体操の練習が支障なく行えることが本考案の考案者により確認されている。また、要求されるマットの上面の反発力により袋体の高さを最適に選択することが可能である。なお、マットの端から３０ｃｍ以下の端の部分は運動には使用しないので、その部分では上記の個体平坦性は要求されない。
【０００９】
第２の観点では、本考案は、前記第１の観点の運動用エアートランポリンにおいて、前記個体平坦性が３ｃｍ以下であることを特徴とする。マットを最適に設計することにより個体平坦性として２ｃｍが得られること、個体平坦性として３ｃｍ以下であれば着地が連続するような特殊な体操の練習においても本考案の運動用エアートランポリンが使用可能であることが確認されている。
【００１０】
第３の観点では、本考案は前記第１または第２の観点の運動用エアートランポリンにおいて、前記マットの上面の形状は略多角形であることを特徴とする。本観点の考案では、マットの上面の形状を多角形状とすることにより、マットの設計や作製が容易となること、および複数のマットを結合して大型のトランポリンを構成することが容易となること等の利点がある。
【００１１】
第４の観点では、本考案は前記第１乃至第３のいずれかの観点の運動用エアートランポリンにおいて、前記マットの上面の前記結合された各袋体の側面の上部に帯状の付加部材を設置したことを特徴とする。マットの上面において床面からの高さが最も低くなるのが各袋体の結合された側面の上部である。そこで、その結合部に沿って上部に帯状の付加部材を設置することにより個体平坦性を改善することができる。帯状の付加部材としては、例えばマットの上面を構成するシート部材と同じ材料などが使用でき、設置方法としては、例えば設置部分への縫合や接着などにより設置固定することができる。また、付加部材を設置する他の効果としては、各袋体の結合部を上から保護してマットの耐久性を高める効果も有する。
【００１２】
第５の観点では、本考案は前記第１乃至第４のいずれかの観点の運動用エアートランポリンにおいて、前記マットの上面の周縁部の少なくとも一部に、前記床からの高さが上記上面よりも１０ｃｍ以上高いガード部を設けたことを特徴とする。このように縁部に段差を設けたことにより運動中にマットの端を認識することが容易となる。また、転落の防止に有効である。なお、マットの端の認識のためにはガード部の高さは１０ｃｍ以上あることが望ましく、さらに転落防止のためにはその高さは２０ｃｍ程度以上あることが望ましい。
【００１３】
第６の観点では、本考案は前記第３乃至第５のいずれかの観点の運動用エアートランポリンにおいて、前記マットの上面は略長方形であり、前記袋体は前記長方形の長手方向の長さを有し、前記マットは該袋体の幅方向の側面を互いに結合して構成されていることを特徴とする。本考案の運動用エアートランポリンを使用して助走と連続して一方向に移動する回転運動等を行う場合、移動方向のマットの長さはそれに直交する方向の幅よりも大きいことが望ましい。また、助走や移動の方向のマット上面はできるだけ平坦であることが望ましい。本観点の運動用エアートランポリンでは、マットの上面を長方形とすることにより移動方向を長くするように設定でき、さらに各袋体は幅方向のみで結合されているので長手方向の平坦性が得られる。また、袋体およびマットの上面の形状を長方形とすることにより、マットの作製も容易となり、製作コストの低減が図れる。
【００１４】
第７の観点では、本考案は前記第３乃至第６のいずれかの観点の運動用エアートランポリンにおいて、一体として結合された複数個の前記マットを有し、前記マットは上面の少なくとも１辺に他の前記マットとの結合手段を備え、該結合手段によって互いに結合された部分と該結合部分に隣接する部分の上面の前記床からの高さの変動で定義する結合平坦性が６ｃｍ以下となるように構成されていることを特徴とする。本観点の運動用エアートランポリンでは、複数のマットを互いに結合して一体化する手段を有している。さらに、結合されたマット全体を用いて通常の体操の練習が支障なく行えるように、結合部分とその周囲との間の床からの高さの変動、すなわち結合平坦性が６ｃｍ以下となるように構成されている。これにより、さらに大きな面積のトランポリンを構成することができる。なお、結合される２つのマットの上面の床からの高さをほぼ等しくする必要がある。
【００１５】
第８の観点では、本考案は前記第７の観点の運動用エアートランポリンにおいて、前記結合手段は、前記マットの１辺に沿って前記マットに一体として設けられ複数の穴を有する第１の帯状部分と、前記マットの１辺に沿って前記第１の帯状部分の上部に前記マットに一体として設けられ前記第１の帯状部分を覆う形状を有し端部にテープ状のファスナーを設けた第２の帯状部分と、前記他のマットの１辺に沿って前記他のマットに一体として設けられ複数の穴を有する第３の帯状部分と、前記他のマットの１辺に沿って前記他のマットの上面に帯状に設置されたテープ状のファスナーとを備え、紐を前記第１の帯状部分に設けた穴と前記第３の帯状部分に設けた穴とを交互に貫通させて固定し、前記の第２の帯状部分のテープ状のファスナーと前記他のマットの上面のテープ状のファスナーとを貼り合わせることにより結合する手段であることを特徴とする。本観点の運動用エアートランポリンでは、前記の結合手段として、ゴム紐などの紐を上記の第１の帯状部分に設けた穴と第３の帯状部分に設けた穴とを交互に貫通させて結ぶなどの方法により２つのマットを機械的な強度と安定性を保持して結合し、さらにその結合部分を上から覆う第２の帯状部分を設け、それをテープ状のファスナーで相手側のマットに固定することにより必要な結合平坦性を得るものである。これにより、容易に、低コストな結合手段が得られる。
【００１６】
第９の観点では、本考案は前記第１乃至第８のいずれかの観点の運動用エアートランポリンにおいて、前記マットの一端に一体として結合された保護用マットを有し、該保護用マットは前記マットの上面にほぼ等しい高さで接続された水平部と該水平部の前記マットに対向する端部に配置され該水平部から１ｍ以上の高さを有する正面壁部分と該正面壁部分の両側に配置された側壁部分とからなることを特徴とする。本考案の運動用エアートランポリンを使用して一方向に移動する回転運動等を行う場合、移動方向のマットの端に上記の保護用マットを備えることにより、マットの端より飛び出すことが防止され、保護用マットの正面壁部分および側壁部分を衝突に対して十分な弾力性を持たせることにより、安全性が確保される。正面壁部分の高さはマットを使用する人の体格や運動の種類によって適切に選択可能であり、小さな年齢の子供が使用するとしても、少なくとも１ｍの高さが必要である。
【考案の効果】
【００１７】
以上のように、本考案によれば、体操などの練習に使用可能で、大きな面積において一定の反発力が得られ、助走と連続した運動が可能な運動用エアートランポリンが得られる。
【図面の簡単な説明】
【００１８】
【図１】実施例１に係る運動用エアートランポリンの基本的な構成を模式的に示す斜視図。
【図２】図１のＡＡ断面図。
【図３】図１のＢＢ断面図。
【図４】実施例２に係る運動用エアートランポリンの構成を模式的に示す斜視図。
【図５】実施例３に係る運動用エアートランポリンの構成を模式的に示す図。
【図６】実施例４に係る一体として結合された２つのマットからなる運動用エアートランポリンの構成を説明するための模式的な斜視図であり、図６（ａ）は結合前の２つのマットの結合部を示す図、図６（ｂ）は結合後の２つのマットの結合部を示す図。
【図７】実施例５に係る運動用エアートランポリンの構成を示す模式的な斜視図。
【考案を実施するための形態】
【００１９】
以下、図面を参照して本考案の運動用エアートランポリンを実施例により詳細に説明する。なお、図面の説明において同一の要素には同一符号を付し、その重複した説明を省略する。
【実施例１】
【００２０】
図１は、実施例１に係る運動用エアートランポリンの基本的な構成を模式的に示す斜視図であり、図２は図１のＡＡ断面図、図３は図１のＢＢ断面図である。図１において、本実施例の運動用エアートランポリン１０は、８個の袋体１の側面を互いに結合して構成されたマット２と、袋体１の１つの側面に設けた送風口３と、送風口３に接続して送風口３に空気を導入可能な送風機４とを有している。ここで、マット２の上面は長さＬ、幅Ｗを有する長方形であり、８個の袋体１はそれぞれ前記長方形の長手方向の長さＬを有し、マット３は袋体１の幅方向の側面を互いに結合して構成されている。図２、図３に示すように、袋体１は側面に通気穴５を設けている。通気穴５は、各袋体１の幅方向の互いに結合された側面に、適切な穴径で、かつ、長手方向に適切な間隔で設けられており、送風機４により空気を導入したときにマット２の上面がトランポリンとしての適切な反発力が得られるように構成されている。また、各袋体１の幅方向の互いに結合された側面は隣接する２つの袋体で共有されている。
【００２１】
本実施例において、８個の袋体１に送風機４により空気を導入してマット２を水平な床６上に設置したとき、マット２の上面がほぼ水平となるように構成されている。また、図２に示すように、各袋体１に空気を導入したときに、各袋体１では中央部１ａが膨らんで床６からの高さが最も高くなり、隣接する袋体１と結合した側面の上部１ｂが床６からの高さが最も低くなる。本実施例では、各袋体１の幅Ｗ１および長さＬを袋体１を構成する材料に応じて最適化することにより、各袋体１の側面間におけるマット３の上面の床６からの高さの変動で定義する個体平坦性が５ｃｍ程度以下となるように構成されている。なお、図２においては、固体平坦性は、中央部１ａと側面の上部１ｂの高さの差、Ｈａ−Ｈｂである。
【００２２】
本実施例の具体的な構成の一例として、マット２の上面および側面、底面を構成する袋体１の材料としてナイロンなどの有機材料シートや補強材を混入したシート材料などを用いることができ、隣接する袋体１の互いに結合する側面にはそれとは別の有機材料からなるシート等を用いることができる。マット２の形状の一例としては、長さＬ＝９００ｃｍ、Ｗ＝２４０ｃｍ、Ｈａ＝５０ｃｍとすることができる。通気穴５の穴径は５〜１５ｃｍ程度、長さ方向の穴間隔は５０〜１００ｃｍ程度とすることができる。
【００２３】
本実施例の運動用エアートランポリン１０のマット２の長手方向の端部を助走に用いることにより、助走と連続して一方向に移動する回転運動等を行うことができ、この場合、移動方向のマット上面は平坦であるので、より安全に移動運動を行うことができる。
【実施例２】
【００２４】
図４は、実施例２に係る運動用エアートランポリンの構成を模式的に示す斜視図である。図４に示すように、本実施例の運動用エアートランポリン２０においては、マット１２の上面の形状は六角形であり、マット１２は２４個の袋体により構成されている。袋体は六角形の各辺に対応した６つのブロックに分けられ、各ブロックは、外側から順に小さくなる上面が台形状の袋体１１ａ、１１ｂ、１１ｃと、中央部の上面が三角形状の袋体１１ｄにより構成されている。また、外側の袋体１１ａの１つの側面に設けた送風口３と、送風口３に接続して送風口３に空気を導入可能な送風機４とを有している。
【００２５】
外側の袋体１１ａは、外側の側面以外の側面は隣接する他の袋体の側面と結合し側面を共有している。また、内部の袋体１１ｂ、１１ｃ、１１ｄの側面はすべて隣接する袋体の側面と結合し側面を互いに共有している。また、それらの共有された側面には通気穴を設け、それらの通気穴は、適切な穴径で、適切な間隔で設けられている。
【００２６】
本実施例においても、２４個の袋体に送風機４により空気を導入してマット１２を水平な床上に設置したとき、マット１２の上面がほぼ水平となるように構成されている。また、各袋体に空気を導入したときに、各袋体では中央部が膨らんで床からの高さが最も高くなり、隣接する袋体と結合した側面の上部が床からの高さが最も低くなるが、本実施例においても、個体平坦性が５ｃｍ程度以下となるように、各袋体の形状および各袋体を構成する材料を選択することにより最適化している。
【００２７】
本実施例の運動用エアートランポリン２０においても、通常の体操の練習が支障なく行える程度の広い面積においてトランポリンとしての機能に必要な反発力が得られ、助走と連続した回転運動などが可能となる。また、本実施例の運動用エアートランポリン２０を、マット１２の六角形の辺を互いに結合させて複数個組み合わせることにより、さらに広い面積の運動用エアートランポリンを構成することができる。
【実施例３】
【００２８】
図５は、実施例３に係る運動用エアートランポリンの構成を模式的に示す図である。図５に示すように、本実施例の運動用エアートランポリン２０においては、実施例１と同様に、マット２２の上面は長方形であり、それぞれ前記長方形の長手方向の長さを有する８個の袋体１の幅方向の側面を互いに結合して構成されており、袋体１の側面には通気穴を、適切な穴径で、かつ、長手方向に適切な間隔で設けている。本実施例においては、さらに、マット２２の上面の幅方向の縁部に、床からの高さが袋体１の上面よりも２０ｃｍ程度高いガード部２７を設けている。具体的には、マット２２の両側端の袋体１の外側に袋体１に結合してガード部２７を構成する袋体を設けたものである。ガード部２７を構成する袋体の内側の側面が袋体１の側面と結合して側面を互いに共有し、この結合部にも通気穴を設けている。また、ガード部２７を構成する袋体の外側の側面に２つの送風口２３ａ、２３ｂを設け、いずれかの送風口に接続して空気を導入可能な送風機４を有している。
【００２９】
本実施例では、上記のようにガード部２７を設けることにより、運動中にマットの端を認識することが容易となり、転落の防止にも有効となる。
【００３０】
また、図５に示すように、本実施例のマット２２では、マット２２の上面に、各袋体１の側面の上部に沿ってマット２２の長手方向に帯状に配置された付加部材２８を設置している。付加部材２８を床からの高さが最も低くなる袋体１の側面の上部に配置することにより固体平坦性をさらに改善することができる。具体的には、マット２２のガード部２７を除いた形状を長さ９００ｃｍ、幅２４０ｃｍ、床からの高さ５０ｃｍとし、付加部材２８を設置してマット２２を構成したとき、袋体１の最上部と付加部材２８の上面の床からの高さの変動は２ｃｍ程度となり、実質的な固体平坦性の大幅な改善が確認された。この場合、付加部材２８は、幅が５ｃｍ程度であり、袋体１の上面と同じ材質で構成し、縫合により固定した。
【実施例４】
【００３１】
図６は、実施例４に係る一体として結合された２つのマットからなる運動用エアートランポリンの構成を説明するための模式的な斜視図であり、図６（ａ）は結合前の２つのマットの結合部を示す図、図６（ｂ）は結合後の２つのマットの結合部を示す図である。本実施例の運動用エアートランポリン４０は、図６（ｂ）に示すように、一体として結合された２つのマット３２ａ、３２ｂを有している。図６（ａ）、（ｂ）では各マットの一部分しか示されていないが、マット３２ａ、３２ｂの結合部以外の基本的構造はそれぞれ実施例１のマット２と同様である。また、図面では省略しているが、マット３２ａ、３２ｂにはそれぞれ送風口が設けられ、それらに接続される送風機を有している。
【００３２】
図６（ａ）に示すように、マット３２ａ、３２ｂは幅方向の一辺にそれぞれ相手側のマットとの結合手段３３ａ、３３ｂを備えている。結合手段３３ａは、マット３２ａの上記の１辺に沿ってマット３２ａに一体として設けられ複数の穴３５ａを有する第１の帯状部分３４ａと、マット３２ａの上記の１辺に沿って第１の帯状部分３４ａの上部にマット３２ａに一体として設けられた第２の帯状部分３６を備えている。第２の帯状部分３６は、第１の帯状部分３４ａを覆う形状を有し、端部にテープ状ファスナー３７ａを設けている。結合手段３３ｂは、マット３２ｂの上記の１辺に沿ってマット３２ｂに一体として設けられ複数の穴を有する第３の帯状部分３４ｂと、マット３２ｂの上記の１辺に沿ってマット３２ｂの上面に帯状に設置されたテープ状ファスナー３７ｂとを備えている。マット３２ａと３２ｂを結合させる場合は、固定用の紐を第１の帯状部分３４ａに設けた穴３５ａと第３の帯状部分３４ｂに設けた穴３５ｂとを交互に貫通させて固定し、第２の帯状部分３６のテープ状ファスナー３７ａとマット３２ｂの上面のテープ状ファスナー３７ｂとを貼り合わせることにより結合する。
【００３３】
本実施例においては、マット上で運動する場合に２つのマットがずれないように２つのマット間の結合の機械的強度を十分に保つために、第１の帯状部分３４ａ、第２の帯状部分３６、第３の帯状部分３４ｂのそれぞれのマットへの固定強度、穴３５ａ、３５ｂの数や配置、固定用の紐の強度などを十分に考慮する必要がある。また、本実施例においては、結合部分における平坦性や反発力の連続性を考慮して、図６（ｂ）に示すように、テープ状ファスナー３７ａ、３７ｂを各袋体ごとに固定するように分割して配置している。これにより、結合手段３３ａ、３３ｂによって互いに結合された部分とこの結合部分に隣接する部分の上面の床からの高さの変動で定義する結合平坦性が６ｃｍ以下となるように構成されている。
【００３４】
本実施例の運動用エアートランポリン４０では、２つのマット３２ａと３２ｂを組み合わせることにより長手方向の長さを大幅に拡大することができ、長い距離を使用した一方向の連続した回転運動などが可能となる。また、本実施例の運動用エアートランポリン４０を２つのマット３２ａと３２ｂに分解して使用することも可能である。また、マット上面の４つの辺にそれぞれ固定手段を設け、幅方向にも他のマットを結合することにより、より大きな面積を有する運動用エアートランポリンを構成することも可能である。
【実施例５】
【００３５】
図７は、実施例５に係る運動用エアートランポリンの構成を示す模式的な斜視図である。本実施例の運動用エアートランポリン５０は、マット５２と、マット５２の一端に一体として結合された保護用マット５５と、マット５２および保護用マット５５のそれぞれに設置された送風口５３、それらの送風口５３に接続された２つの送風機４を有している。保護用マット５５はマット５２の上面にほぼ等しい高さで接続された水平部分５５ａと水平部分５５ａのマット５２に対向する端部に配置され水平部分５５ａから１８０ｃｍ程度の高さを有する正面壁部分５５ｂと正面壁部分５５ｂの両側に配置された側壁部分５５ｃとから構成されている。
【００３６】
ここで、マット５２は、実施例３の図５に示したマット２２と同様な構造および形状を有し、袋体の上面および付加部材から構成される平坦部分５２ａとガード部５２ｂを有している。また、保護用マット５５の水平部分５５ａはマット５２の平坦部分５２ａと同様に複数の袋体から構成され、正面壁部分５５ｂおよび側壁部分５５ｃも空気を導入することにより所定の形状となる袋体により構成されている。マット５２と保護用マット５５の結合部分５４は、実施例４の結合部分と同様な構造を有している。また、マット５２の平坦部分５２ａの中心にはセンターライン５６が表示されている。
【００３７】
本実施例の運動用エアートランポリン５０では、保護用マット５５を備えることにより、マット５２の端より飛び出して床に落下することが防止され、保護用マット５５の正面壁部分５５ｂおよび側壁部分５５ｃを衝突に対して十分な弾力性を持たせることにより、安全性が確保される。また、センターライン５６を表示することにより、マット５２の中央部分で常に運動することやセンターライン５６に沿った直線的な運動が容易となる。
【００３８】
なお、本考案は上記の実施例に限定されるものではないことは言うまでもなく、目的や用途に応じて設計変更可能である。例えば、本考案に用いるマットの形状、マットを構成する袋体の形状や数、その構造や材料なども、必要とされる運動用エアートランポリンの長さや面積、反発力、平坦性などの要求に合わせて設計可能である。また、２つのマットを結合する結合手段としては、機械的に結合した後、筒状の部材を用いて２つのマットの端部の上面、側面を包む部材、または２つのマットの端部の上面、側面、底面を包む筒状の部材を用いることにより結合平坦性を確保してもよい。
【符号の説明】
【００３９】
１、１１ａ、１１ｂ、１１ｃ、１１ｄ      袋体
１ａ      中央部
１ｂ      側面の上部
２、１２、２２、３２ａ、３２ｂ、５２    マット
３、２３ａ、２３ｂ、５３                送風口
４        送風機
５        通気口
６        床            
１０、２０、３０、４０、５０            運動用エアートランポリン
２７、５２ｂ      ガード部
２８      付加部材
３３ａ、３３ｂ    結合手段
３４ａ    第１の帯状部分
３４ｂ    第３の帯状部分
３５ａ、３５ｂ    穴
３６      第２の帯状部分
３７ａ、３７ｂ    テープ状ファスナー
５４      結合部
５５      保護用マット
５５ａ    水平部分
５５ｂ    正面壁部分
５５ｃ    側壁部分
５６      センターライン
【図１】
0003176478.tif 000003
【図２】
0003176478.tif 000004
【図３】
0003176478.tif 000005
【図４】
0003176478.tif 000006
【図５】
0003176478.tif 000007
【図６】
0003176478.tif 000008
【図７】
0003176478.tif 000009